【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
集合からのデータ項目を提供するための方法であって、前記方法は１つ以上のプロセッサによって実行され、
（ａ）複数のエンティティの中の各エンティティをデータ項目の対応するセットに関連付けることと、前記複数のエンティティの中の各エンティティと関連付けられる、前記データ項目の対応するセットは前記集合の一部である、
（ｂ）表現を前記複数のエンティティの中の各エンティティに割り当てることと、
（ｃ）前記複数のエンティティの中の任意の１つ以上のエンティティの表現の選択可能なバージョンを表示することと、
（ｄ）前記割り当てられた表現がユーザによって選択された各エンティティのための前記データ項目の対応するセットを表示するために、前記データ項目の集合をフィルターすることとを具備する方法。
【請求項２】
（ａ）は、各エンティティを、そのエンティティから発生された、または通信されたデータ項目のセットに関連付けることを含む、請求項１に記載の方法。
【請求項３】
（ｃ）は、前記複数のエンティティの中の各エンティティのための前記表現を含むパネルを提供することを含む、請求項１に記載の方法。
【請求項４】
（ｃ）は、前記ユーザが任意の２以上の表現を選択状態に置くことを可能にすることを含み、（ｄ）は、前記割り当てられた表現が前記選択状態に置かれる各エンティティの前記データ項目のセットからの少なくとも１つのデータ項目を提供することを含む、請求項１に記載の方法。
【請求項５】
（ｂ）は、対応する人物を表すアバターを提供することを含む、請求項１に記載の方法。
【請求項６】
前記集合の各データ項目は、ファイル、文書、または記録のうちの１つに対応する、請求項１に記載の方法。
【請求項７】
（ｄ）は、前記集合からのデータ項目を表示するための表示領域の少なくとも一部に、前記データ項目のセットからのデータ項目のみを表示することを含む、請求項１に記載の方法。
【請求項８】
あるエンティティの第１の表現と他のエンティティの第２の表現のうちのいずれか、または両方を選択状態に置くために、前記ユーザが前記第１の表現から前記第２の表現へスライドまたは切り替えることを可能にすること、をさらに具備する請求項１に記載の方法。
【請求項９】
システムであって、
データ項目の集合を記憶するメモリと、
請求項１乃至８のうちのいずれか１項に記載のステップを実行するようにアレンジされたプロセッサとを具備するシステム。
【請求項１０】
コンピュータデバイスであって、
請求項１乃至８のうちのいずれか１項に記載のステップを実行するようにアレンジされたソフトウェアコードを有するメモリを具備するコンピュータデバイス。
【手続補正２】
【補正対象書類名】明細書
【補正対象項目名】００５１
【補正方法】変更
【補正の内容】
【００５１】
[0059]添付図面を参照しながら、ここで実施形態が詳細に記載されたが、この開示は具体的な実施例や詳細に対する変形を含む。ここに記載された実施例の範囲は請求項やその同等物によって定義されることを意図される。さらに、個別に、または実施例の一部として記載された特定の特徴は他の個別に記載された特徴や他の実施例の部分と組み合わせることができると考えられる。したがって、組み合わせの記載の欠如は、発明者が、そのような組み合わせに対する権利を請求することを妨げない。
以下に、出願当初の特許請求の範囲に記載された発明を付記する。
［Ｃ１］
集合からのデータ項目を提供するための方法であって、前記方法は１つ以上のプロセッサによって実行され、
（ａ）複数のエンティティの中の各エンティティをデータ項目の対応するセットに関連付けることと、前記複数のエンティティの中の各エンティティと関連付けられる、前記データ項目の対応するセットは前記集合の一部である、
（ｂ）表現を前記複数のエンティティの中の各エンティティに割り当てることと、
（ｃ）前記複数のエンティティの中の任意の１つ以上のエンティティの前記表現が選択状態に置かれることを可能にすることと、
（ｄ）前記割り当てられた表現が前記選択状態に置かれた各エンティティの前記データ項目のセットからデータ項目を表示するために、前記データ項目の集合をフィルターすることとを具備する方法。
［Ｃ２］
（ａ）は、各エンティティを、そのエンティティから発生された、または通信されたデータ項目のセットに関連付けることを含む、Ｃ１に記載の方法。
［Ｃ３］
（ｃ）は、前記複数のエンティティの中の各エンティティのための前記表現を含むパネルを提供することを含む、Ｃ１に記載の方法。
［Ｃ４］
（ｃ）は、ユーザが任意の２以上の表現を前記選択状態に置くことを可能にすることを含み、（ｄ）は、前記割り当てられた表現が前記選択状態に置かれる各エンティティの前記データ項目のセットからの少なくとも１つのデータ項目を提供することを含む、Ｃ１に記載の方法。
［Ｃ５］
（ｂ）は、対応する人物を表すアバターを提供することを含む、Ｃ１に記載の方法。
［Ｃ６］
前記集合の各データ項目は、ファイル、文書、または記録のうちの1つに対応する、Ｃ１に記載の方法。
［Ｃ７］
（ｄ）は、前記集合からのデータ項目を表示するための表示領域の少なくとも一部に、前記データ項目のセットからのデータ項目のみを表示することを含む、Ｃ１に記載の方法。
［Ｃ８］
あるエンティティの第１の表現と他のエンティティの第２の表現のうちのいずれか、または両方を選択状態に置くために、ユーザが前記第１の表現から前記第２の表現へスライドまたは切り替えることを可能にすること、をさらに具備するＣ１に記載の方法。
［Ｃ９］
システムであって、
データ項目の集合を記憶するメモリと、
複数のエンティティの中の各エンティティをフィルターパラメータに関連付け、
前記複数のエンティティの中の各エンティティの表現を提供し、
ユーザが任意の１つ以上のエンティティの前記表現を選択状態に置くことを可能にし、
前記選択状態に置かれた各表現によって表された前記エンティティと関連付けられたフィルターパラメータに基づいて前記データ項目の集合をフィルターする
プロセッサとを具備するシステム。
［Ｃ１０］
前記プロセッサは、前記複数のエンティティの中の各エンティティを、前記データ項目の集合の一部を含み、そのエンティティから発生された、または通信されたデータ項目の対応するセットに基づいて、前記フィルターパラメータに関連付ける、Ｃ９に記載のシステム。
［Ｃ１１］
前記プロセッサは、前記選択状態に置かれた表現を有する前記１つ以上のエンティティと関連付けられた前記データ項目の対応するセットからのデータ項目のみを表示のために提供することによって、前記データ項目の集合をフィルターする、Ｃ１０に記載のシステム。
［Ｃ１２］
前記プロセッサは、アバターとして前記表現を表示する、Ｃ９に記載のシステム。
［Ｃ１３］
前記データ項目の集合の各データ項目は、ファイル、文書、または記録のうちの１つに対応する、Ｃ９に記載のシステム。
［Ｃ１４］
コンピュータデバイスであって、
データ項目の集合を記憶するメモリと、
複数のエンティティの中の各エンティティをデータ項目の対応するセットに関連付け、前記複数のエンティティの中の各エンティティと関連付けられる、前記データ項目の対応するセットは前記データ項目の集合の一部である、
表現を前記複数のエンティティの中の各エンティティに割り当て、
前記複数のエンティティの中の任意の１つ以上のエンティティの前記表現が選択状態に置かれることを可能にし、
前記データ項目の集合からの項目を表示するための表示領域の少なくとも一部における表示のために、前記割り当てられた表現が前記選択状態に置かれた前記複数のエンティティの中の各エンティティの前記データ項目のセットからのデータ項目のみを選択する
プロセッサとを具備するコンピュータデバイス。
［Ｃ１５］
前記データ項目の集合の各データ項目は、ファイル、文書、または記録のうちの１つに対応するＣ１４に記載のコンピュータデバイス。